(57)【要約】【課題】キャップの開封に際して、スカート状側壁とＴＥバンドとを連結しているブリッジの破断が速やかに行われ、且つ使用者に対して明確な開封感を与え、しかも、スカート状側壁とＴＥバンドとの境界部分へのカッティングラインの形成も薄皮残りを生じることなく、確実に行なわれる飲料容器用プラスチックキャップを提供する。【解決手段】頂板部１とスカート状側壁３とＴＥバンド５とを一体成形した後に、破断可能なブリッジ７を残してスカート状側壁３とＴＥバンドとの境界部にカッティングライン９を形成することにより成形されるプラスチックキャップにおいて、ブリッジ７は、４乃至１２本の数で設けられ、且つ、それぞれ、１．５乃至４．０ｍｍの幅ｗを有しており、スカート状側壁３の下部内面には、ブリッジ７，７間のそれぞれに、ブリッジ７よりも幅狭で且つ５本以下の数で縦リブ３０が形成されていることを特徴とする。【選択図】図１
2010076797.tif 000002
【特許請求の範囲】
【請求項１】
頂板部と、頂板部周縁から降下しており且つ容器口部壁の外面に形成された螺条と係合する螺条が形成されているスカート状側壁と、該スカート状側壁の下端に位置するタンパーエビデントバンドとを有しており、該スカート状側壁とタンパーエビデントバンドとは、該スカート状側壁の内面からタンパーエビデントバンドの内面にかけて延びている複数の破断可能なブリッジにより連結されており、該頂板部とスカート状側壁とタンパーエビデントバンドとを一体成形した後に、少なくとも該ブリッジの一部を残してスカート状側壁とタンパーエビデントバンドとの間にカッティングラインを形成することにより成形されるプラスチックキャップにおいて、
前記ブリッジは、４乃至１２本の数で設けられ、且つ、それぞれ、１．５乃至４．０ｍｍの幅ｗを有しており、
前記スカート状側壁の下部内面には、隣り合う前記ブリッジ間のそれぞれに、前記カッティングラインの形成に際して使用されるキャップ保持具に該スカート状側壁を支持するための縦方向リブが、該ブリッジよりも幅狭で且つ５本以下の数で形成されていることを特徴とする飲料容器用プラスチックキャップ。
【請求項２】
前記ブリッジ間の縦リブの少なくとも１本が、前記カッティングラインを超えて前記タンパーエビデントバンドの内面まで延びている請求項１に記載の飲料容器用プラスチックキャップ。
【請求項３】
前記スカート状側壁の上方部分には、洗浄液導入用のスリットが形成されており、前記スカート状側壁の下部内面の隣り合う前記ブリッジ間の部分は、下方にいくにしたがって大径となるような傾斜面となっている請求項１または２に記載の飲料容器用プラスチックキャップ。
【発明の詳細な説明】
【技術分野】
【０００１】
本発明は、飲料容器に使用されるプラスチックキャップに関するものであり、より詳細には、螺子係合により飲料容器の口部に装着され、且つスカート状側壁の下端に、複数の破断可能なブリッジを介してタンパーエビデントバンド（ＴＥバンド）が設けられている飲料容器用プラスチックキャップに関する。
【背景技術】
【０００２】
プラスチックキャップには、容器口部壁との螺子係合により装着される螺子タイプのものが飲料容器用のキャップとして広く使用されている。この種の飲料容器用キャップは、頂板部と、頂板部周縁から降下しており且つ容器口部壁の外面に形成された螺条と係合する螺条が形成されているスカート状側壁とを備えており、スカート状側壁の下端には、破断可能なブリッジを介してＴＥバンドが設けられており、ＴＥバンドの内面には、容器の顎部と係合し得る係合部材が形成されている（例えば特許文献１参照）。
【０００３】
このような飲料容器用キャップは、容器の口部に装着された状態で開栓方向に回転することにより、螺子係合が解除されていき、スカート状側壁が上昇するが、この際、ＴＥバンドは、その内面に形成されている係合突起が容器の顎部に係合するため、その上昇が制限される。従って、ＴＥバンドとスカート状側壁とを連結しているブリッジが破断し、スカート状側壁のみが上昇して容器口部から取り除かれ、ＴＥバンドは切り離されて容器側に残ることとなり、一般の消費者は、ＴＥバンドがスカート状側壁から切り離されているという事実から、キャップが開封されたという事実を認識することができ、このようにして容器内容物の品質保証機能やイタズラ防止機能が発現するのである。
【０００４】
【特許文献１】特開２００６−１９３２１４
【発明の開示】
【発明が解決しようとする課題】
【０００５】
ところで、上記のような飲料容器用キャップでは、キャップを開封する際に、ＴＥバンドが容器の顎部と係合した状態のままブリッジが伸びてしまって速やかに破断せず、この結果、ブリッジが破断していないにもかかわらず、キャップと容器口部との密封が解除されてしまうことがあり、容器内容物の品質保証機能の点で、その改善が求められている。また、ブリッジが伸びてしまうため、使用者に開封感を与えないという点でも改善が求められている。
【０００６】
上記のような問題を解決するためには、ＴＥバンドとスカート状側壁を連結しているブリッジを太くすることにより、ブリッジが伸びることなく、直ちに破断するようにすればよいが、この場合には、ブリッジの数を少なくしなければならない。太いブリッジが多数設けられていると、ブリッジの破断が困難となり、開栓性が損なわれてしまうからである。
【０００７】
しかるに、ブリッジを太くして、その本数を少なくすると、成形性の点で問題を生じることが判った。即ち、上述した飲料容器用キャップは、頂板部とスカート状側壁とＴＥバンドとを一体成形した後に、ブリッジを残してスカート状側壁とＴＥバンドとの間にカッティングラインを形成することにより成形される。カッティングラインの成形は、キャップ内に挿入されたキャップ保持具によりキャップを保持しながら、外面側からスカート状側壁とＴＥバンドとの境界部分にカッターを差し込んでカッティングを行なうことにより行なわれる。この場合において、ブリッジの本数が少ないと、隣り合うブリッジ間の間隔が大きく、この部分では、スカート状側壁の内面がキャップ保持具と非接触の状態にある。この結果、カッターを差し込んだ際、スカート状側壁の下端部分のブリッジ間の部分がキャップ保持具側に傾倒してしまい、本来、カッターにより完全に切断されてカッティングラインとなる部分に薄皮が残ってしまうという問題を生じるのである。カッターが挿入される深さは一定に設定されているためである。
【０００８】
また、最近では、キャップの洗浄性を高めるために、スカート状側壁内面の下端部分であって、ブリッジ間の部分を、下方にいくにしたがって大径となるような傾斜面とすることがある。即ち、スカート状側壁の上方部分には、洗浄液を導入するための微細なスリットが設けられており、容器口部にキャップが装着された状態で、水等の洗浄液のシャワーによりキャップ内に上記スリットから導入し、キャップの底部からキャップ内に導入された洗浄液を排出することにより、キャップ内の洗浄が行われるようになっている。この場合、上記のような傾斜面が形成されていると、キャップのスカート状側壁下端内面と容器口部の顎部との隙間を大きく取ることができ、キャップ内に導入された洗浄液がキャップ内に残存せず、速やかに下方に流れ落ちて排出されることとなる。
【０００９】
しかるに、上記のような傾斜面を形成して洗浄性を高めた場合には、上述したカッティングに際しての薄皮残りが一層生じ易くなっている。即ち、スカート状側壁内面の下端部分のブリッジ間が傾斜面となっているため、カッティングに際して、この部分がよりキャップ保持具側に傾倒し易くなっているためである。
【００１０】
従って、本発明の目的は、キャップの開封に際して、スカート状側壁とＴＥバンドとを連結しているブリッジの破断が速やかに行われ、且つ使用者に対して明確な開封感を与え、しかも、スカート状側壁とＴＥバンドとの境界部分へのカッティングラインの形成も薄皮残りを生じることなく、確実に行なうことができる飲料容器用プラスチックキャップを提供することにある。
【課題を解決するための手段】
【００１１】
本発明によれば、頂板部と、頂板部周縁から降下しており且つ容器口部壁の外面に形成された螺条と係合する螺条が形成されているスカート状側壁と、該スカート状側壁の下端に位置するタンパーエビデントバンドとを有しており、該スカート状側壁とタンパーエビデントバンドとは、該スカート状側壁の内面からタンパーエビデントバンドの内面にかけて延びている複数の破断可能なブリッジにより連結されており、該頂板部とスカート状側壁とタンパーエビデントバンドとを一体成形した後に、少なくとも該ブリッジの一部を残してスカート状側壁とタンパーエビデントバンドとの間にカッティングラインを形成することにより成形されるプラスチックキャップにおいて、
前記ブリッジは、４乃至１２本の数で設けられ、且つ、それぞれ、１．５乃至４．０ｍｍの幅ｗを有しており、
前記スカート状側壁の下部内面には、隣り合う前記ブリッジ間のそれぞれに、前記カッティングラインの形成に際して使用されるキャップ保持具に該スカート状側壁を支持するための縦方向リブが、該ブリッジよりも幅狭で且つ５本以下の数で形成されていることを特徴とする飲料容器用プラスチックキャップが提供される。
【００１２】
本発明においては、
（１）前記ブリッジ間の縦リブの少なくとも１本が、前記カッティングラインを超えて前記タンパーエビデントバンド（ＴＥバンド）の内面まで延びていること、
（２）前記スカート状側壁の上方部分には、洗浄液導入用のスリットが形成されており、前記スカート状側壁の下部内面の隣り合う前記ブリッジ間の部分は、下方にいくにしたがって大径となるような傾斜面となっていること、
が好ましい。
【発明の効果】
【００１３】
本発明のキャップでは、スカート状側壁とＴＥバンドとを連結しているブリッジの幅Ｗが従来公知のキャップに比して太く設定され、さらにその本数も、隣り合うブリッジ間の間隔が該ブリッジの破断を阻害しないような範囲となるように設定されている。このため、容器口部に装着されたキャップを開栓方向に回転して開封を行ったとき、ブリッジが伸びることなく、速やかに破断する。このため、密封破壊が生じる前にブリッジが確実に破断する。従って、本発明のキャップは、優れたタンパーエビデント性を示す。また、ブリッジが一気に破断するため、使用者に開封感を与える。
【００１４】
また、本発明では、スカート状側壁の下部内面のブリッジ間に縦リブが形成されており、一体成形後におけるカッティングラインの成形は、該縦リブがキャップ保持具に接触するようにキャップを保持した状態で、スカート状側壁とＴＥバンドとの境界部にカッターを差し込むことにより行われる。従って、スカート状側壁の下部のブリッジ間部分が内倒れ（キャップ保持具側への傾倒）することがなく、この結果、カッティングラインでの薄皮残りが有効に防止される。
【００１５】
さらに、上記の縦リブは、その幅がブリッジよりも小幅であり、しかもブリッジ間に設けられる縦リブの本数も制限されているため、この縦リブによって洗浄液の流れが阻害されることがなく、従って、キャップの洗浄性は損なわれない。特に、スカート状側壁の下部内面のブリッジ間を傾斜面とした場合には、洗浄液の流れがスムーズとなり、洗浄性が向上する半面、カッティングラインを成形する際に、この傾斜面が内倒れし易くなり、薄皮残りが生じやすいが、本発明では、このような傾斜面を形成して洗浄性を高めた場合にも薄皮残りを有効に防止することができ、優れたカッティング加工性を有している。
【発明を実施するための最良の形態】
【００１６】
以下、本発明を添付図面に基づいて詳細に説明する。
図１は、本発明のキャップの半断面半側面図であり、
図２は、図１のキャップのＡ−Ａ断面を示す図であり、
図３は、図１のキャップを容器口部と共に示す一部断面側面図であり、
図４は、カッティングラインの成形に際しての薄皮残りを説明するための説明図であり、図４（ａ）は、カッティングライン成形時のキャップのカッティング部分をカッターと共に示す側断面図であり、（ｂ）は、図４（ａ）のＢ−Ｂ断面を示す図であり、
図５は、図１のキャップについて、カッティングライン成形時のキャップのカッティング部分をカッターと共に示す側断面図（図５（ａ））及び図５（ａ）のＣ−Ｃ断面を示す図（図５（ｂ））であり、
図６は、本発明の他の例のキャップについての半断面半側面図である。
【００１７】
図１乃至図３を参照して、本発明の飲料容器用プラスチックキャップは、頂板部１と、頂板部１の周縁部から垂下しているスカート状側壁３と、スカート状側壁３の下端に位置するタンパーエビデントバンド（ＴＥバンド）５とから成っており、例えば、低−、中−または高密度ポリエチレン、線状低密度ポリエチレン、ポリプロピレン等のオレフィン系樹脂や、熱可塑性ポリエステル、ポリアミド、スチレン系樹脂、ＡＢＳ樹脂などの各種の熱可塑性プラスチックから形成されている。
【００１８】
上記のようなキャップは、上記の熱可塑性プラスチックを用いての射出成形、圧縮成形等の成形手段により、頂板部１とスカート状側壁３とＴＥバンド５とを一体に成形し、成形後にカッティング加工により、複数本の破断可能なブリッジ７を残すようにしてカッティングライン９を形成することにより製造される。即ち、図１から理解されるように、ブリッジ７は、スカート状側壁３の下部内面からＴＥバンド５の上部内面にカッティングラインを跨いで延びている。
【００１９】
頂板部１の内面には、スカート状側壁３とは間隔を置いて下方に延びているインナーリング１０が形成されている。また、このインナーリング１０の外側には、インナーリングよりも背の低いアウターリング１１が設けられている。アウターリング１１の内面の付け根部分には、内方に突出し且つフラットな面を有する基部１３が形成されており、さらにインナーリング１０の外側付け根部には環状の溝１５が形成されている。
【００２０】
一方、スカート状側壁３の内面には、螺条（雌螺子）１７が形成されており、この螺条１７には、図１に示されているように、適当な間隔で補助螺条１７ａが形成されている。この補助螺条１７ａは螺条１７より幅が狭く高さが低く形成されている。これは容器の内圧が異常に高くなったときのガス抜き通路を形成すると共に洗浄液を螺条の螺旋方向に流すための流路としても作用する。
【００２１】
また、ＴＥバンド５の内面には、適当な間隔で上向きのフラップ片２０が設けられている。
【００２２】
また、図３に示されているように、上記キャップが締結される容器の口部壁５０の外面には、スカート状側壁３に設けられている螺条（雌螺子）１７と螺子係合する螺条（雄螺子）５１が設けられており、さらに、螺条５１の下側には顎部５３が形成されている。
【００２３】
即ち、上記のキャップは、容器口部壁５０に被せられ、閉栓方向に回転すると、螺条１７と螺条５１との螺子係合により締結され、容器口部壁５０の上端部分が、インナーリング１０とアウターリング１１との間の空間に侵入し、インナーリング１０の外面が容器口部壁５０の内面に密着することによりシールが確保される。また、アウターリング１１の内面は、容器口部壁５０の外面の上端部分に密着しており、このため、キャップの閉栓或いは開栓に際して、インナーリング１０とアウターリング１１とは同心円状に回転することとなり、インナーリング１０と容器口部壁５０との密着（即ちシール性）が有効に保持される。即ち、閉栓状態においては、安定にシール性を確保することができ、開栓に際しては、キャップの回転により直ちにシール破壊が生じることはなく、ある程度回転した後にシール破壊を生じることになり、以下に述べるＴＥバンド５の機能を十分に発揮させることができる（ブリッジの破断に先立ってのシール破壊を防止するようにすることができる）。
【００２４】
尚、上記のような構造のキャップにおいて、環状の溝１５が設けられていることにより、閉栓の際にインナーリング１０が径方向内方に動き易くなっている。この結果、閉栓トルクを下げることができるようになっている。
【００２５】
ＴＥバンド５は、いわゆるタンパーエビデント（開封履歴証明）機能を有するものであり、いたずら防止や内容物の品質保証などのために利用される。即ち、容器口部壁５０に締結されているキャップを開栓方向に回転すると、該キャップは容器口部壁５０に沿って上昇するが、その上昇に伴って、ＴＥバンド５の内面に設けられているフラップ片２０が、容器口部壁５０の外面に形成されている顎部５３の下面に係止し、従って、ＴＥバンド５の上昇は制限される。この結果、キャップの開栓方向への回転を続けていくと、ＴＥバンド５を連結しているブリッジ７が破断し、ＴＥバンド５がキャップから引き剥がされることとなる。即ち、ＴＥバンド５が引き剥がされているキャップは、開封済みのものであること或いは既にシール破壊が生じたものであることを示し、一般の需要者は、開封履歴を認識することができるのである。
【００２６】
また、スカート状側壁３の上部には、周方向に延びている洗浄用のスリット２１が、周方向に間隔を置いて複数個設けられており、キャップの上方からシャワーなどによる加熱された洗浄液の吹き付けにより、容器口部壁５０に締結されているキャップの内部に洗浄液が導入され、容器口部壁５０の外面及びキャップの内面の洗浄が行なわれることとなる。
【００２７】
即ち、内容液が充填されている容器では、その口部壁５０の外面には、内容液がこぼれ出て付着してしまっていることがあり、このような容器にキャップを締結すると、キャップのスカート状側壁３の内面との間、特に螺条１７，５１間に付着した内容液が存在していると、例えば糖分を含有した内容液の場合、シュガーセメントなどの生成により、開栓が困難となってしまうこともある。特に、最近では、容器内にヘッドスペースを残さないように内容液を多量に充填する傾向があるため、キャップ締結時に内容液がこぼれてしまい、このような内容液の付着を生じ易い。従って、上記のような洗浄用のスリット２１を設け、キャップが締結された状態で上方から加熱された洗浄液（例えばシャワー温水）をキャップに吹き付け、洗浄用のスリット２１からキャップの内部（容器口部壁５０とスカート状側壁３との間）に洗浄液を流し込み、付着している内容液を洗い流すわけである。
【００２８】
上述したキャップでは、洗浄性を高めるために、スカート状側壁３の下部内面のブリッジ７，７間の部分が裾広がり（即ち、下方にいくにしたがい大径となっている）の傾斜面２５となっている（図１参照）。即ち、このような傾斜面２５を形成することにより、上方から落下してくる洗浄液を速やかに下方に案内し、キャップの下部から排出することができる。例えば、このような傾斜面２５が形成されていない場合には、ブリッジ７，７間のスカート状側壁３の下部内面と容器口部の顎部５３との狭くなった部分で洗浄液が滞留したり、カッティングライン９の部分に洗浄液が付着残留し易くなるが、傾斜面２５の形成により、このような洗浄液の残留を有効に防止し、洗浄性を高めることが可能となる。
【００２９】
上述したキャップは、飲料用容器に適用されるものであり、飲料容器の口部に応じた大きさを有するものであり、その内径（頂板部内径Ｄ）は、一般に、２２乃至４０ｍｍ程度に設定されている。
【００３０】
このような本発明のキャップにおいて、カッティングライン９を跨いで延びており、スカート状側壁３とＴＥバンド５とを連結しているブリッジ７は、一定の間隔で周方向に均等に分布して設けられているが、その幅ｗが１．５乃至４．０ｍｍ、特に２．０乃至２．５ｍｍの範囲に設定され、その数が４乃至１２本、特に６乃至１０本に設定されていることが重要である。即ち、従来公知のキャップの仕様と比較すると、このブリッジ７の幅ｗは、相対的に大きく、ブリッジ７の本数は相対的に少なく、ブリッジ７の幅ｗ及び本数をこのような範囲に設定することにより、キャップの開封を行ったとき、ブリッジ７が伸張せず、速やかに破断するため、密封破壊が生じる前にブリッジが確実に破断する。従って、本発明のキャップは、優れたタンパーエビデント性を示す。また、ブリッジが伸びないため、一気に破断されることとなり、使用者に開封感を与えるという利点が達成される。
尚、図１〜３のキャップでは、８本のブリッジ７が設けられている（図２参照）。
【００３１】
例えば、ブリッジ７の幅７が上記範囲よりも小さく設定されている場合には、キャップの開封に際してブリッジ７が伸びてしまうため、ブリッジ７の破断が密封破壊後に生じてしまったり、使用者にキャップの開封感を与えることもない。また、ブリッジ７の幅ｗが上記範囲よりも大きく設定されている場合には、ブリッジ７が破断せず、キャップの開封自体が困難となってしまう。さらに、ブリッジ７の幅ｗが上記範囲内であったとしても、その本数が上記範囲よりも多い場合には、キャップの開封時にブリッジ７が破断し難くなり、キャップの開封が困難となり、その本数が上記範囲よりも少ない場合には、後述するように、カッティングラインの成形性が不満足となってしまう。
【００３２】
本発明においては、上記のようにブリッジ７の幅ｗ及び本数を上記範囲に設定すると共に、スカート状側壁３の下部内面のブリッジ７，７間に、ブリッジ７よりも幅狭の縦リブ３０を設けることも重要である。即ち、このような縦リブ３０を設けることにより、カッティングライン９の成形性が高められ、薄皮残りを生じることなく、カッティングライン９を形成することが可能となる。
【００３３】
この薄皮残りの現象を説明する図４を参照されたい。図４は、上記のような縦リブ３０が設けられていないキャップについて、カッティング加工を行うときのカッティング部を拡大して示す側断面図及びＢ−Ｂ断面を示す図である。
【００３４】
即ち、カッティングライン９は、前述した頂板部１、スカート状側壁３及びＴＥバンド５を射出成形等により一体に成形した後、キャップ保持具３３を成形されたキャップ内に挿入してキャップを保持した状態で、スカート状側壁３とＴＥバンド５との間の境界部分にカッター３５を差し込んで、ブリッジ７の一部を残すようにして切断することにより成形される。しかるに、本発明においては、上述したようにブリッジ７の幅ｗが大きく設定されていることに関連して、その本数が少なく設定されているため、ブリッジ７，７間の間隔が大きく設定されている。このため、図４に示されているように、ブリッジ７，７間に縦リブ３０が形成されていない場合には、このブリッジ７，７間の面がキャップ保持具３３と非接触の状態となっており、この結果、スカート状側壁３の下部がブリッジ７，７間で内倒れ（キャップ保持具３３側への傾倒）してしまい、カッター３５による切断が不十分となり、薄皮残りが生じてしまうのである。この薄皮部分は、図４（ｂ）において、Ｘで示されている。即ち、カッティングに際して、カッター３５の侵入度は一定の値に設定されているため、スカート状側壁３の下部で内倒れが生じてしまうと、この部分を完全に切断することができず、薄皮部分Ｘが残ってしまうのである。しかも、洗浄性を高めるために、ブリッジ７，７間の面が前述した傾斜面２５となっている場合には、この部分での内倒れを生じ易く、このような薄皮残りが極めて発生し易くなっている。
【００３５】
しかるに、本発明にしたがって、スカート状側壁３の下部内面のブリッジ７，７間のそれぞれに、縦リブ３０を設けている場合には、図５（ａ）及び（ｂ）に示されているように、カッター３５を差し込んでカッティング加工を行うときに、この縦リブ３０がキャップ保持具３３に接触して保持されることとなり、この結果、ブリッジ７，７間でのスカート状側壁３の内倒れが有効に防止され、薄皮残りを生じることなく、確実にカッティングライン９を成形することが可能となるのである。
【００３６】
本発明において、上述した縦リブ３０は、スカート状側壁３とＴＥバンド５とを連結するためのものではなく、カッティング加工に際して、ブリッジ１１，１１間でのスカート状側壁３の内倒れを防止し得る程度にキャップ保持具３３に接触すればよく、従って、縦リブ３０はブリッジ７に比して幅狭でよく、例えば、その幅ｄは０．４乃至１．０ｍｍ程度の大きさでよい。
【００３７】
また、縦リブ３０は、隣り合うブリッジ７，７間のそれぞれに設けられるが、その数は、それぞれ、５本以下であることが必要である。即ち、この範囲内であれば、内倒れは有効に防止され、これよりも多数の縦リブ３０を設けたとしても、格別の利点はなく、むしろ、不要な樹脂の量が増大し、コスト高を招いてしまい、省資源の観点からも不適当であり、さらには、縦リブ３０が多くなるほど、キャップ内に導入された洗浄液の滞留を生じ易くなり、洗浄性が低下してしまう。例えば、傾斜面２５が形成されているキャップでは、傾斜面２５の案内効果が縦リブ３０により阻害されてしまうため、洗浄性が大きく低下してしまう。尚、その幅ｄを１．０ｍｍよりも大きく設定している場合にも同様の理由から好ましくない。
【００３８】
尚、ブリッジ７の本数が、前述した範囲よりも少なく設定されている場合には、隣り合うブリッジ７，７間の間隔が大きくなってしまうため、薄皮残りが生じないようにするためには、ブリッジ７，７間の縦リブ３０の数を上記範囲よりも多く設定することが必要となる。即ち、ブリッジ７の本数が少ないと、カッティングラインの加工性が不満足となってしまうことが理解されよう。
【００３９】
本発明において、上述した縦リブ３０の隣り合うブリッジ７，７間での本数は、上記の範囲内で、ブリッジ７，７間の間隔に応じてカッティングラインの成形に際して薄皮残りが生じないような本数に設定され、例えば、１本でもよいし、２本以上とすることもできる。例えば、図１〜３のキャップでは、隣り合うブリッジ７，７間に、それぞれ２本の縦リブ３０が形成されている。
【００４０】
また、上記の説明から理解されるように、縦リブ３０は、スカート状側壁３とＴＥバンド５とを連結するためのものではないため、基本的には、図１に示されているように、スカート上側壁３の下部内面に形成されるものであり、カッティングライン９を跨いで延びているものではない。しかしながら、縦リブ３０は、ブリッジ７に比して幅狭に形成されることから、縦リブ３０を、スカート状側壁３の下部内面からカッティングライン９を跨いでＴＥバンド５の上部内面にまで形成することも可能である。但し、この場合には、開栓性に影響を与えないように、縦リブ３０の幅ｄをかなり狭く、例えば１．０ｍｍ以下とするのがよい。特に、隣り合うブリッジ７，７間の間隔が大きい場合には、カッティングに際して、この部分でのスカート状側壁３の内倒れを生じやすいため、ブリッジ７，７間に縦リブ３０を複数形成し、このうちの少なくとも１本を、カッティングライン９を跨いで形成することにより、内倒れ防止効果をさらに高め、薄皮残りを一層確実に防止することができる。
このようなキャップの例は、図６に示されている。
【００４１】
即ち、図６に示されているキャップは、縦リブ３０の形態を除けば、他の部分は、図１〜図３のキャップと全く同様である。
【００４２】
図６のキャップでは、隣り合うブリッジ７，７間に、３本の縦リブ３０が形成されているが、このうちの１本は（図６中、３０ａで示されている）は、カッティングライン９を跨いで、スカート状側壁３の下部内面からＴＥバンド５の上部内面にまで延びている。このような縦リブ３０ａは、カッティングに際して、キャップ保持具３３との接触面積が大きいため、ブリッジ７，７間でのスカート状側壁３の内倒れ防止効果が大きく、従って、このような縦リブ３０ａの形成により、隣り合うブリッジ７，７間の間隔が大きい場合にも、スカート状側壁３の内倒れを効果的に抑制し、薄皮残りを確実に防止することができる。
【００４３】
上述したように、本発明のキャップは、ＴＥ性に優れ、キャップの開封に際して、使用者にキャップの開封感を与えるばかりか、洗浄性も良好であり、さらにはカッティングラインの加工性も優れており、薄皮残りを生じることなく、カッティングラインを成形することができる。
【図面の簡単な説明】
【００４４】
【図１】本発明のキャップの半断面半側面図。
【図２】図１のキャップのＡ−Ａ断面を示す図。
【図３】図１のキャップを容器口部と共に示す一部断面側面図。
【図４】カッティングラインの成形に際しての薄皮残りを説明するための説明図であり、図４（ａ）は、カッティングライン成形時のキャップのカッティング部分をカッターと共に示す側断面図であり、図４（ｂ）は、図４（ａ）のＢ−Ｂ断面を示す図。
【図５】図１のキャップについて、カッティングライン成形時のキャップのカッティング部分をカッターと共に示す側断面図（図５（ａ））及び図５（ａ）のＣ−Ｃ断面を示す図。
【図６】本発明の他の例のキャップについての半断面半側面図。
【符号の説明】
【００４５】
１：頂板部
３：スカート状側壁
５：タンパーエビデントバンド
７：ブリッジ
９：カッティングライン
２１：洗浄用スリット
３０：縦リブ
【図１】
2010076797.tif 000003
【図２】
2010076797.tif 000004
【図３】
2010076797.tif 000005
【図４】
2010076797.tif 000006
【図５】
2010076797.tif 000007
【図６】
2010076797.tif 000008